(57)【要約】      （修正有）【課題】可動壁が移動されたか否かを確認するのに手間のかからない表示装置を提供する。【解決手段】表示装置１０は、固定壁および固定壁と対向する可動壁とのうちの一方である第１壁に取り付けられている。筐体２０との間で内部空間を画定する蓋３０と、内部空間を移動し、インジケータを有する第１移動部材５０と第２移動部材６０とを備えている。固定壁と可動壁が対向状態から非対向状態になったとき、表示窓から第１表示部が露出するように第１移動部材５０および第２移動部材６０を初期位置へ移動させる移動機構７０とをさらに備え、移動機構７０は、筐体２０と第２移動部材６０との間に、第２移動部材６０を待機位置から初期位置へ復帰させる突出部２８を有する。【選択図】図３
2018168576.tif 000002
【特許請求の範囲】
【請求項１】
固定壁および前記固定壁と対向する可動壁とのうちの一方である第１壁に取り付けられた表示装置であって、
前記固定壁と前記可動壁とのうちの他方である第２壁に向かって延び、かつ、前記第２壁に進退可能に当接される当接部を有する軸部材と、
第１表示部および第２表示部を有するインジケータと、
前記第１表示部および前記第２表示部のうちの一方のみを露出させる表示窓を有する筐体と、
前記筐体との間で内部空間を画定する蓋と、
前記内部空間を移動し、前記インジケータを有する第１移動部材と第２移動部材とを備え、
前記第１移動部材および前記第２移動部材が初期位置に位置して前記表示窓から前記第１表示部が露出している状態から、前記固定壁と前記可動壁との非対向状態において前記表示窓から前記第２表示部が露出するように前記第１移動部材および前記第２移動部材を待機位置へ移動させる移動手段と、
前記軸部材、前記第１移動部材、および前記第２移動部材を有し、前記固定壁と前記可動壁が対向状態から前記非対向状態になったとき、前記表示窓から前記第１表示部が露出するように前記第１移動部材および前記第２移動部材を前記初期位置へ移動させる移動機構とをさらに備え、
前記移動機構は、前記筐体と前記第２移動部材との間に、前記第２移動部材を前記待機位置から前記初期位置へ復帰させる突出部を有することを特徴とする表示装置。
【請求項２】
前記第１移動部材は、前記内部空間を縦方向へ移動可能であり、
前記第２移動部材は、前記第１移動部材の内部において、横方向へ移動可能であり、
前記筐体および前記蓋の少なくとも一方と前記軸部材との間には、前記当接部が前記内部空間から突出するように付勢する第１付勢部材を配置してあり、
前記筐体および前記蓋の少なくとも一方と前記第１移動部材との間には、前記第１表示部が前記初期位置へ移動するように前記第１移動部材を付勢する第２付勢部材を配置してあり、
前記第１移動部材と前記第２移動部材との間には、前記第２移動部材が前記初期位置へ移動するように前記第２移動部材を付勢する第３付勢部材を配置してあり、
前記移動機構は、前記第１付勢部材と前記第２付勢部材と前記第３付勢部材とを有する請求項１に記載の表示装置。
【発明の詳細な説明】
【技術分野】
【０００１】
本発明は、表示装置に関する。
【背景技術】
【０００２】
従来、未許可の者が扉および引き出し等の可動壁を移動したことを確認するとき、例えば、薬品を収容する薬品保管庫において、棚本体と扉（可動壁）とにわたってセキュリティシールを貼り、該セキュリティシールの変化によって、薬品保管庫の扉が開けられたか否かを確認していた。
【発明の概要】
【発明が解決しようとする課題】
【０００３】
しかしながら、薬品保管庫に収容されている薬品等とは異なり、厳重に管理する必要のない物品もある。例えば、コンビニエンスストア等の施設のトイレにおけるトイレットペーパー等の物品は、厳重に管理する必要はない。しかしながら、このような物品についても、施設の管理者は、物品を補充するため、物品が使用されたか否かを把握する必要がある。
【０００４】
上述したようにセキュリティシールの変化によって扉が開かれたか否かを確認すると、扉が開かれるたびに新しいセキュリティシールを貼る作業が必要となるため、手間がかかる問題があった。
【０００５】
本発明が課題とするところは、可動壁が移動されたか否かを確認するのに手間のかからない表示装置を提供することにある。
【課題を解決するための手段】
【０００６】
前記課題を解決するために本発明が対象とするのは、固定壁及び前記固定壁と対向する可動壁とのうちの一方である第１壁に取り付けられた表示装置に関する。
【０００７】
本発明の特徴は、表示装置が、前記固定壁と前記可動壁とのうちの他方である第２壁に向かって延び、かつ、前記第２壁に進退可能に当接される当接部を有する軸部材と、第１表示部及び第２表示部を有するインジケータと、前記第１表示部及び前記第２表示部のうちの一方のみを露出させる表示窓を有する筐体と、前記筐体との間で内部空間を画定する蓋と、前記内部空間を移動し、前記インジケータを有する第１移動部材と第２移動部材とを備え、前記第１移動部材および前記第２移動部材が初期位置に位置して前記表示窓から前記第１表示部が露出している状態から、前記固定壁と前記可動壁との非対向状態において前記表示窓から前記第２表示部が露出するように前記第１移動部材および前記第２移動部材を待機位置へ移動させる移動手段と、前記軸部材、前記第１移動部材、及び前記第２移動部材を有し、前記固定壁と前記可動壁が対向状態から前記非対向状態になったとき、前記表示窓から前記第１表示部が露出するように前記第１移動部材および前記第２移動部材を前記初期位置へ移動させる移動機構とをさらに備え、前記移動機構は、前記筐体と前記第２移動部材との間に、前記第２移動部材を前記待機位置から前記初期位置へ復帰させる突出部を有すること、である。
【発明の効果】
【０００８】
本発明に係る表示装置によれば、第１移動部材および第２移動部材が初期位置に位置して表示窓から第１表示部が露出している状態から、固定壁と可動壁との非対向状態において表示窓から第２表示部が露出するように第１移動部材および第２移動部材を待機位置へ移動させる移動手段と、軸部材、第１移動部材、および第２移動部材を有し、固定壁と可動壁が対向状態から非対向状態になったとき、表示窓から第１表示部が露出するように第１移動部材および第２移動部材を初期位置へ移動させる移動機構とを備えるため、可動壁の移動を、セキリュティシールを貼り替えるような手間をかけずに知ることができる。加えて、移動機構は、筐体と第２移動部材との間に、第２移動部材を待機位置から初期位置へ復帰させる突出部を有するため、第２移動部材を初期位置へ戻す操作を不要にでき、これにより手間がかからない。
【図面の簡単な説明】
【０００９】
図面は、本開示に係る本発明の特定の実施の形態を示し、発明の不可欠な構成ばかりでなく、選択的及び好ましい実施の形態を含む。
【図１】本発明に係る第１実施形態の表示装置を有する引き出しと、該引き出しを備える棚の斜視図。
【図２】表示装置の正面図。
【図３】表示装置を背面側から視た分解斜視図。
【図４】表示装置を正面側から視た分解斜視図。
【図５】図２の矢視Ｖ−Ｖ線切断面を示す断面図。
【図６】図２の矢視ＩＶ−ＩＶ線切断面を示す断面図。
【図７】蓋を取り除いた状態における表示装置の背面図。
【図８】第１移動部材の正面図。
【図９】第２移動部材の正面図。
【図１０】第２移動部材の底面図。
【図１１】引き出しと棚本体とを非対向状態にしたときの斜視図。
【図１２】レバーが仮想横中心線から離れ、表示窓から第２表示部が露出している状態における図５と同様の断面図。
【図１３】図１２に示す状態における図６と同様の断面図。
【図１４】図１２に示す状態において、蓋を取り除いた表示装置の背面図。
【図１５】固定壁と可動壁とが対向状態における図６と同様の断面図。
【図１６】図１５に示す状態において、蓋を取り除いた表示装置の背面図。
【図１７】第２実施形態の表示装置の斜視図。
【図１８】第２実施形態の変形例の表示装置の斜視図。
【発明を実施するための形態】
【００１０】
添付の図面を参照し、本発明に係る表示装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１１】
＜第１実施形態＞
図１は、本発明に係る第１実施形態の表示装置１０を有する引き出し１を備える棚２を示す斜視図である。図１では、説明の便宜のため、棚２が有する１つの引き出し１及びこの引き出し１に対向する棚本体２ａのみを実線で示してある。また、図１における双頭矢印Ｘ，Ｙ，Ｚは、棚２及び表示装置１０における互いに交差（直交）する横方向Ｘと、縦方向Ｙと、前後方向Ｚとを示している。表示装置１０は、図２に示すように、縦方向Ｙの長さ寸法を二等分する仮想横中心線Ｑ−Ｑを有している。棚２の各引き出し１には、複数のトイレットペーパー（物品）３が保管されている。
【００１２】
棚２は、棚本体２ａ側の固定壁４と、引き出し１側の可動壁５とを有している。棚２は、図１に示すように、棚本体２ａの内部に引き出し１を収容したときには、固定壁４と可動壁５とが対向する対向状態となる一方、図１１に示すように、棚本体２ａの内部から、前後方向Ｚの前方へ引き出し１を引き出したときには、固定壁４と可動壁５とが対向しない非対向状態となる。本実施態様では、固定壁４に表示装置１０を取り付けてある。また、図２，４，５に示す表示装置１０では、表示窓２３から第１表示部（赤色）５１が露出している。
【００１３】
棚２は、表示装置１０の前面を除いた側面２２ａ，２２ｂ，２２ｃ，２２ｄ及び後面（蓋３０）が露出することを防止する蓋８を備えている。棚２は、図示省略するが、棚本体２ａに対して蓋８が移動されることによって、表示装置１０の側面２２ａ，２２ｂ，２２ｃ，２２ｄ及び後面である蓋３０が露出されることを規制する施錠状態と、棚本体２ａに対して蓋８が上方へ移動され、表示装置１０の側面２２ａ，２２ｂ，２２ｃ，２２ｄ及び後面である蓋３０が露出されることを許容する解錠状態とに変わる施錠装置を備えている。
【００１４】
図２は、表示装置１０の正面図であり、図３は、表示装置１０を背面側から視た分解斜視図であり、図４は、表示装置１０を正面側から視た分解斜視図であり、図５は、表示装置１０の縦断面図であり、図６は、表示装置１０の横断面図である。なお、図５及び図６では、説明の便宜のため、後記の取付具８０を省略してある。表示装置１０は、略直方体状であって、図３および図４に示すように、筐体２０と、筐体２０との間で内部空間１１を画定する蓋３０と、軸部材４０と、インジケータ５３と、第１移動部材５０と、第２移動部材６０と、筐体２０及び蓋３０を可動壁５に取り付ける取付具８０とを備えている。
【００１５】
筐体２０は、矩形状の前面板２１と、前面板２１の周縁から後方へ向けて突出する４枚の側板とを有している。これらの４枚の側板によって、各側面２２ａ，２２ｂ，２２ｃ，２２ｄが画成されている。前面板２１は、図２に示すように、矩形状の表示窓２３を有している。また、前面板２１の周縁部は、側面２２ａ，２２ｂ，２２ｃ，２２ｄの外側へ延出する鍔部２１ａ，２１ｂ，２１ｃ，２１ｄをそれぞれ有している（図３参照）。側面２２ａ，２２ｂ，２２ｃ，２２ｄを画成する４枚の側板のうち、横方向Ｘにおいて互いに対向する一対の側面２２ｃ，２２ｄを画成する側板の一方の側板（側面２２ｃを画成する側板）には、軸部材４０の当接部４４が貫通する切欠２６を形成してある一方、他方の側板（側面２２ｄを画成する側板）には切欠２６を形成していない。第１移動部材５０が、内部空間１１において、横方向Ｘには移動しない一方、縦方向Ｙへのみスライド移動するように、互いに対向する一対の側面２２ｃ，２２ｄの間における横方向Ｘの離隔寸法Ｌ３を設定してある（図３参照）。前面板２１は、前方側から後方側へ向けて突出する突出部２８を有している。突出部２８は、前面板２１の背面側において、縦方向Ｙの最下方であって、一対の側面２２ｃ，２２ｄを画成する側板の他方の側板（側面２２ｄを画成する側板）に隣接するように配置してある。突出部２８の上方側は、上方側から下方側へ向けて前後方向Ｚの寸法（突出長さ）が徐々に増加する傾斜部分２８ａを有している。
【００１６】
蓋３０は、前後方向Ｚの寸法が小さい肉薄部３１と、肉薄部３１よりも前後方向Ｚの寸法が大きい肉厚部３２とを有している。肉厚部３２には、軸部材４０が横方向Ｘへのみスライド移動するように、軸部材４０の係合板４３と係合する係合凹部３３と、横方向Ｘにおいて、係合凹部３３に隣接するように配置し、軸部材４０の軸部４１の一方の端部が貫通する貫通孔３４とを形成してある（図６参照）。蓋３０は、縦方向Ｙにおいて、上端部から下方へ延びる第１スリット３７を横方向Ｘの中央に有し、レバー（移動手段）５８は、第１スリット３７の内部において縦方向Ｙへ移動可能である。さらに、蓋３０の後面側には、前後方向Ｚにおいて、肉薄部３１を貫通して肉厚部３２の途中まで延びるネジ孔３６を形成してある（図３参照）。
【００１７】
軸部材４０は、図３に示すように、横方向Ｘへ延びる軸部４１と、軸部４１から径外方向へ分岐して横方向Ｘへ延びる係合凸部４２と、軸部４１の長さ方向（横方向Ｘ）の途中に位置するとともに軸部４１と係合凸部４２とを連結し、蓋３０の係合凹部３３に係合する係合板４３とを有する。また、係合凸部４２の先端は、レバー５８を、仮想横中心線Ｑ−Ｑに近接する初期位置（図７参照）から、仮想横中心線Ｑ−Ｑから離れた待機位置（図１４参照）まで移動操作をするときのみ、隔壁部６３に対して傾斜する態様で当接する傾斜当接部４２ａを有している。さらに、軸部４１の一方の先端には、筐体２０の内部空間１１から外部へ突出して、対向状態において、可動壁５に向かって延び、かつ、可動壁５に対して進退可能に当接される当接部４４を形成してある。軸部４１の係合板４３と蓋３０の肉厚部３２との間には、図６に示すように、当接部４４が、内部空間１１から外部へ突出するように付勢する第１バネ（第１付勢部材）１２を配置してある。換言すれば、蓋３０と軸部材４０との間には、当接部４４が内部空間１１から突出するように付勢する第１バネ１２を配置してある。
【００１８】
第１移動部材５０は、前後方向Ｚにおいて、筐体２０と蓋３０との間の内部空間１１に配置してある（図５及び図６参照）。より具体的には、第１移動部材５０は、縦方向Ｙへ移動可能な態様で内部空間１１に配置してある。第１移動部材５０は、図８に示すように、その前面側における縦方向Ｙの一方の端部に、赤色に着色された第１表示部５１と、縦方向Ｙにおいて第１表示部５１と隣接するように配置され、緑色に着色された第２表示部５２とを有するインジケータ５３を備えている。また、第１移動部材５０の後面側には、第２移動部材６０を横方向Ｘへ移動可能な態様で収容する空間部５５を形成してある（図３、図７および図８参照）。さらに、第１移動部材５０は、横方向Ｘにおいて、空間部５５の一方の端部に、ストッパー５４ａを有し、空間部５５の他方の端部に壁部５４ｂを有している。ストッパー５４ａは、軸部材４０の係合凸部４２が横方向Ｘへ移動可能なように、縦方向Ｙにおいて離れるように配置してある。第１移動部材５０の横方向Ｘにおける両側縁には、横方向Ｘにおける外方から内方へ向けて凹む凹部５６を形成してあり、図５に示すように、第１移動部材５０の凹部５６と、筐体２０の側面２２ａを画成する側板との間には、第１移動部材５０を縦方向Ｙの一方の端部（図５における下方側）へ付勢する第２バネ（第２付勢部材）１３を配置してある。換言すれば、筐体２０と第１移動部材５０との間には、第１表示部５１が初期位置へ移動するように第１移動部材５０を付勢する第２バネ１３を配置してある。さらに、第１移動部材５０は、その後面側の下端部に、前方側から後方側へ向けて延びるレバー５８を備えている。
【００１９】
第２移動部材６０は、図３〜図６に示すように、第１移動部材５０の空間部５５に、横方向Ｘへスライド移動可能な態様で配置してある。第２移動部材６０は、縦方向Ｙにおいて互いに対向する第１壁６９ａ，６９ｂと、第１壁６９ａ，６９ｂの前方側に位置し、これら第１壁６９ａ，６９ｂを連結する第２壁６９ｃと、横方向Ｘにおいて係合凸部４２から離れた第１壁６９ａ，６９ｂの側部を連結する第３壁６９ｄとを有する。また、第２移動部材６０は、縦方向Ｙにおいて隣接する第１係合凹部６１及び第２係合凹部６２と、第１係合凹部６１及び第２係合凹部６２を画定する隔壁部６３とを有し、第１係合凹部６１及び隔壁部６３によって形成される隔壁存在領域６４ａを、横方向Ｘにおいて第３壁６９ｄが位置する一方側に有し（図９参照）、横方向Ｘにおいて、切欠２６を有して側面２２ｃを画成する側板が位置する他方側に、隔壁部６３が存在しない隔壁非存在領域６４ｂを有している。第２移動部材６０は、横方向Ｘにおいて、隔壁存在領域６４ａが存在する側に一方の端部６８を有している。第１係合凹部６１及び第２係合凹部６２のいずれか一方には、軸部材４０の係合凸部４２が係合する。横方向Ｘにおいて、第１移動部材５０の壁部５４ｂと第２移動部材６０の第３壁６９ｄとの間には、隔壁部６３が、切欠２６を有して側面２２ｃを画成する側板に近接するように第２移動部材６０を付勢する第３バネ１４を配置してある。換言すれば、第１移動部材５０と第２移動部材６０との間には、第２移動部材６０を初期位置へ付勢する第３バネ１４を配置してある。
【００２０】
第２移動部材６０において、図９に示すように、横方向Ｘにおいて、第１係合凹部６１の一方の端部６５ａから他方の端部６５ｂまでの横方向Ｘの長さ寸法Ｌ１は、後述する当接部４４における横方向Ｘの移動距離よりも大きく、横方向Ｘにおいて、第２係合凹部６２の一方の端部６６ａから他方の端部６６ｂまでの横方向Ｘの長さ寸法Ｌ２は、当接部４４における横方向Ｘの移動距離よりも小さい。
【００２１】
第２移動部材６０は、第１移動部材５０の空間部５５の内部において、係合突部６７と、係合凹部５７ｂとの係合を解除できるように、図１０に示すように、前後方向Ｚにおいて、係合突部６７を有する一方の端部の前後方向Ｚの寸法Ｌ４が、係合突部６７を有していない他方の端部の前後方向Ｚの寸法Ｌ５よりも小さい。
【００２２】
第１移動部材５０と第２移動部材６０との間には、図４に示すように、互いに係合可能な係合突部６７と、係合孔部５７ａおよび係合凹部５７ｂを設けてある。この表示装置１０では、係合突部６７を第２移動部材６０に設けてある一方、係合孔部５７ａおよび係合凹部５７ｂを第１移動部材５０に設けてある。係合突部６７は、前方側に位置する第２壁６９ｃよりも、さらに前方側に突出するように形成してあり、第２移動部材６０の最下方において、横方向Ｘの一方の側端に配置してある。係合凹部５７ｂは、第１移動部材５０の最下方において、横方向Ｘの一方の側端に配置してある。第１移動部材５０は、横方向Ｘにおいて、係合凹部５７ｂに隣接して壁部５７ｃを有するとともに、壁部５７ｃに隣接するようにして係合孔部５７ａを配置してある。図１６に示すように、係合突部６７と係合凹部５７ｂとが係合した状態では、第３バネ１４の付勢力に抗して第１移動部材５０に第２移動部材６０が固定され、第１移動部材５０に対する第２移動部材６０の横方向Ｘの移動が規制される。係合突部６７と係合凹部５７ｂとが係合している状態では、第２移動部材６０は、切欠２６を有する側面２２ｃを画成する側板から離れ、横方向Ｘの中央に位置している（待機位置へ移動している）。一方、後述するように、図１６に示す状態から、第１移動部材５０および第２移動部材６０が上方から下方へ移動し、係合突部６７と傾斜部分（突出部２８）２８ａとが当接することによって、係合突部６７が前方側から後方側へ移動して係合突部６７と係合凹部５７ｂとの係合が解除されると、第１移動部材５０に対する第２移動部材６０の固定が解除されて第２移動部材６０の横方向Ｘへの移動が許容され、図７に示すように、第２移動部材６０は、第３バネ１４の付勢力によって横方向Ｘへ移動する。その後、第２移動部材６０は、切欠２６を有している側面２２ｃを画成する側板に近接し、第１移動部材５０のストッパー５４ａと第２移動部材６０の一方の端部６８とが当接して、第２移動部材６０の横方向Ｘへの移動が停止し、係合突部６７と係合孔部５７ａとが係合する。この状態では、係合突部６７の傾斜面６７ａ（図４参照）と、壁部５７ｃの後方側に位置する傾斜面５７ｄ（図３参照）とが接触し、横方向Ｘにおいて、第１移動部材５０に対して第２移動部材６０が、切欠２６を有している側面２２ｃを画成する側板から離れるように移動することが許容される（図７および図１４参照）。
【００２３】
取付具８０は、図３に示すように、筐体２０の一対の側面２２ａ，２２ｂのそれぞれを覆う第１被覆部８１ａ，８１ｂと、蓋３０の後面側を覆う第２被覆部８２とを有する取付板８３を備える。第２被覆部８２は、貫通孔８４を有するとともに、下端部から上方へ延びる第２スリット８８を横方向Ｘの中央に有している。取付具８０は、さらに、蓋３０のネジ孔３６にそれぞれ締結する４本のネジ８５を有している。
【００２４】
このような表示装置１０は、固定壁４が有する不図示の貫通孔と、取付板８３の貫通孔８４とを、ネジ８５の先端を通過させた後、ネジ８５とネジ孔３６とを締結させることによって固定壁４に取り付ける。
【００２５】
表示装置１０は、図５に示すように、レバー５８が仮想横中心線Ｑ−Ｑに近接する状態（レバー５８が第１位置に配置された初期状態（図２参照））では、第１移動部材５０が下方に位置（初期位置）するとともに第２移動部材６０が下方に位置（初期位置）し、表示窓２３から第１表示部（赤色）５１が露出している。この状態では、軸部材４０の係合凸部４２と、第２移動部材６０の第１係合凹部６１とが係合している（図６参照）。また、係合突部６７と、係合孔部５７ａとが係合している（図７参照）。第１バネ１２は横方向Ｘへ延び、第２バネ１３は縦方向Ｙへ延び、第３バネ１４は横方向Ｘへ延びている。
【００２６】
この表示装置１０において、棚本体２ａから引き出し１が引き出された状態を図１１に示す。棚本体２ａは、横方向Ｘにおいて互いに対向する一対の側壁６ａ，６ｂと、引き出し１を棚本体２ａから進退させるための開口７を形成するための一対の側壁６ｃ，６ｄとを有している。引き出し１において、側壁６ａに対向する壁部５ａ（可動壁５の一部）は、前後方向Ｚにおける前方側から後方側へ向けて側壁６ａとの離隔寸法が徐々に小さくなり、当接部４４に接触する傾斜板１５を有している（図１５参照）。
【００２７】
棚本体２ａから引き出し１が引き出された状態では、固定壁４と可動壁５とが対向しない非対向状態となる。この非対向状態において、例えば、鍵を有する管理者が、施錠装置を解錠し、蓋８を上方へ移動させてレバー５８を露出させた後、図７に示す第１位置に配置されたレバー５８を仮想横中心線Ｑ−Ｑから離れるように移動操作すると、第２バネ１３が縦方向Ｙへ圧縮され、隔壁部６３に対して傾斜当接部４２ａが当接し、レバー５８の移動とともに、第２移動部材６０が他方の側面２２ｄに近接するように移動し、第３バネ１４が横方向Ｘへ圧縮される。その後、図１２に示すように、レバー５８の移動操作を継続してレバー５８を第２位置まで移動させると、表示窓２３から第２表示部（緑色）５２が露出し（待機表示）、図１３に示すように、係合凸部４２が、隔壁部６３を乗り越えて第２係合凹部６２と係合し、第３バネ１４の付勢力によって、第２移動部材６０が一方の側面２２ｃに近接するように移動する。また、係合突部６７と、係合孔部５７ａとが係合している（図１４参照）。
【００２８】
その後、管理者が、蓋８を閉めて、レバー５８を蓋８で覆ってから施錠装置で施錠した後、前後方向Ｚにおいて、後方側へ引き出し１を押し、引き出し１を棚本体２ａに入れると、図１５および図１６に示すように、軸部材４０の当接部４４と、引き出し１の可動壁５の傾斜板１５とが当接し、第１バネ１２の付勢力に抗して、当接部４４が内部空間１１に退行し、第１バネ１２が横方向Ｘへ圧縮される。この当接部４４の内部空間１１への退行の際、第２移動部材６０における第２係合凹部６２の横方向Ｘの長さ寸法Ｌ２が、当接部４４における横方向Ｘの移動距離よりも小さいため、第２移動部材６０が、一方の側面２２ｃから離れるように横方向Ｘへ移動し、第３バネ１４が横方向Ｘへ圧縮され、当接部４４が、表示装置１０の内部空間１１に収容され、係合突部６７と係合凹部５７ｂとが係合して第１移動部材５０に対する第２移動部材６０の横方向Ｘへの移動が規制され、固定壁４と可動壁５とが対向する。固定壁４及び可動壁５が非対向状態から対向状態へ変化しても、表示窓２３から第２表示部（緑色）５２が露出する待機表示の状態を維持している。
【００２９】
その後、例えば、第三者が、棚本体２ａから引き出し１を前後方向Ｚの前方へ引き出し、固定壁４と可動壁５とが非対向状態となると、第１バネ１２の付勢力によって、当接部４４が内部空間１１から進出する。この当接部４４が内部空間１１から進出する際、係合凸部４２が隔壁非存在領域６４ｂに位置しているため、第２バネ１３の付勢力によって、縦方向Ｙにおいて第１移動部材５０および第２移動部材６０が側面２２ａから離れるように下方へ移動し、係合凸部４２と第２係合凹部６２との係合が解除されるとともに、第２移動部材６０の係合突部６７が、筐体２０の突出部２８に当接して、第２移動部材６０が前方側から後方側へ移動することによって、第２移動部材６０の係合突部６７と、第１移動部材５０の係合凹部５７ｂとの係合が解除され、第２移動部材６０は、第３バネ１４の付勢力によって、切欠２６を有して側面２２ｃを画成する側板に近接し、第２移動部材６０の係合突部６７と、第１移動部材５０の係合孔部５７ａとが係合するとともに、係合凸部４２と第１係合凹部６１とが係合し、図６に示すように、表示窓２３から第１表示部（赤色）５１が露出し、待機表示に復帰する。その後、第三者は、引き出し１に収容されていたトイレットペーパー３を取り出す。
【００３０】
その後、第三者が、前後方向Ｚにおいて、引き出し１を後方へ押し、棚本体２ａに入れると、軸部材４０の当接部４４と、引き出し１の可動壁５の傾斜板１５とが当接し、当接部４４が内部空間１１に退行する。この当接部４４の内部空間１１への退行の際、第２移動部材６０における第１係合凹部６１の横方向Ｘの長さ寸法Ｌ１が、当接部４４における横方向Ｘの移動距離よりも大きいため、第２移動部材６０は、横方向Ｘへ移動することなく、第１係合凹部６１の内部において、係合凸部４２が横方向Ｘへ移動するのみであり、第１移動部材５０が縦方向Ｙへ移動することもない。このため、表示窓２３から第１表示部５１が露出する状態が維持される。
【００３１】
本実施形態の表示装置１０によれば、第１移動部材５０および第２移動部材６０が初期位置に位置して表示窓２３から第１表示部（赤色）５１が露出している状態から、固定壁４と可動壁５との非対向状態において表示窓２３から第２表示部（緑色）５２が露出するように、第１移動部材５０および第２移動部材６０を待機位置へ移動させるレバー５８と、軸部材４０、第１移動部材５０、および第２移動部材６０を有し、固定壁４と可動壁５とが非対向状態になったとき表示窓２３から第１表示部５１が露出するように第１移動部材５０および第２移動部材６０を初期位置へ移動させる移動機構７０とを備えるため、可動壁５の移動を、セキュリティシールを貼り替えるような手間をかけずに知ることができる。加えて、移動機構７０は、筐体２０と第２移動部材６０との間に、第２移動部材６０を待機位置から初期位置へ復帰させる突出部２８を有するため、第２移動部材６０を初期位置へ戻す操作を不要にでき、これにより手間がかからない。また、移動機構７０は、第１バネ１２と第２バネ１３と第３バネ１４とを有している。
【００３２】
また、軸部材４０と蓋３０との間には、当接部４４が筐体２０の内部空間１１から突出するように軸部材４０を付勢する第１バネ１２を配置してあるため、非対向状態において、当接部４４を筐体２０から確実に突出させることができる。
【００３３】
また、第１移動部材５０と筐体２０との間には、第１表示部５１が表示窓２３から露出するように第１移動部材５０を付勢する第２バネ１３を配置してあるため、表示窓２３から露出する第１表示部５１が妄りに変わるのを防止することができる。
【００３４】
さらに、軸部材４０と蓋３０との間には、軸部材４０が横方向Ｘへのみ移動するための係合板４３と、係合板４３に係合する係合凹部３３とを形成してあるため、軸部材４０の横方向Ｘへの移動を円滑にすることができる。
【００３５】
また、レバー５８が仮想横中心線Ｑ−Ｑに近接する第１位置から、仮想横中心線Ｑ−Ｑから離れた第２位置へ移動する際、換言すれば、表示窓２３から第１表示部５１が露出している状態において、レバー５８の操作によって、表示窓２３から第２表示部５２を露出させるとき、隔壁部６３に対して傾斜する態様で当接する傾斜当接部４２ａを軸部材４０が有しているため、レバー５８の操作を容易にすることができる。
【００３６】
＜第２実施形態＞
図１７は、第２実施形態の表示装置１０における図３と同様の分解斜視図である。なお、説明の重複を避けるため、第１実施形態の表示装置１０と異なる部分のみを説明する。本実施形態の表示装置１０は、第１実施形態の表示装置１０におけるレバー５８の代わりに操作具９０を設けてある。操作具９０は、前後方向Ｚへ直状に延びる直方体状に形成してある。操作具９０と第１移動部材５０との間には、互いに係合可能な凹部９２と凸部９３とで構成された係合手段９４が位置し、操作具９０は係合手段９４によって第１移動部材５０に対して着脱可能である。
【００３７】
図１８は、第２実施形態の変形例の表示装置１０において、第１移動部材５０，取付具８０および操作具９０のみを示す分解斜視図である。説明の重複を避けるため、第１実施形態および第２実施形態の表示装置１０と異なる部分のみを説明する。
【００３８】
第１移動部材５０の背面側には、横方向Ｘへ離隔し、後面側から前面側へ向けて凹む一対の凹部５９を形成してある。
【００３９】
取付具８０は開口８９を有している。開口８９は、縦方向Ｙへ延びる第１延出孔８９ａと、縦方向Ｙにおいて、第１延出孔８９ａの一方の端部に配置して横方向Ｘへ延びる第２延出孔８９ｂと、第１延出孔８９ａの他方の端部に配置して横方向Ｘへ延びる第３延出孔８９ｃとによって画定される。
【００４０】
この表示装置１０の操作具９０は、第１移動部材５０の一対の凹部５９に係合し、横方向Ｘへ離隔する一対の突出部９５ａ，９５ｂと、一対の突出部９５ａ，９５ｂを連結する連結部９６と、連結部９６の横方向Ｘの中央に位置する基端部９７とを有している。この操作具９０は、許可を受けた者のみが有している。
【００４１】
この表示装置１０で表示窓２３から第１表示部５１が露出している状態において、操作具９０の突出部９５ａ，９５ｂを、第３延出孔８９ｃに挿入して、第１移動部材５０の一対の凹部５９ｂと、操作具９０の一対の突出部９５ａ，９５ｂとを係合させた後、操作具９０を縦方向Ｙの下方側から上方側へ移動させると、操作具９０の基端部９７は、開口８９の第３延出孔８９ｃから第１延出孔８９ａを通過した後、第３延出孔８９ｃまで移動し、この操作具９０の移動によって、表示窓２３から第２表示部５２を露出させることができる。
【００４２】
また、上述した実施形態には、レバー５８及び操作具９０が第１移動部材５０の背面側に位置するものを説明した。しかし、この発明はそれに限られず、レバー５８及び操作具９０が、第１移動部材５０の正面側、側面側、下面側、及び上面側のいずれかに位置していればよい。
【００４３】
さらに、上記実施形態には、固定壁４及び可動壁５のうちの固定壁４を第１壁とする一方、可動壁５を第２壁とし、第１壁である固定壁４に表示装置１０を取り付け、第２壁である可動壁５に進退可能に当接部４４が当接する例を示した。しかし、本発明はそれに限られず、可動壁５を第１壁とする一方、固定壁４を第２壁とし、第１壁である可動壁５に表示装置１０を取り付け、第２壁である固定壁４に進退可能に当接部４４が当接してもよい。
【００４４】
また、上記実施形態には、棚本体２ａと引き出し１とを備える棚２が、表示装置１０を備えるもので説明したが、表示装置１０は、例えば、消火器等の機器を収容し、容器本体と扉を有する箱、現金等の貴重品を輸送し、蓋と、本体とを有する鞄等にも用いることができる。
【００４５】
さらに、上記実施形態には、赤色に着色された第１表示部５１と、緑色に着色された第２表示部５２とを有するインジケータ５３を備える表示装置１０を説明した。しかし、本発明は、それに限られず、緑色に着色された第１表示部５１と、赤色に着色された第２表示部５２とを有するインジケータ５３を表示装置１０が備えてもよい。もちろん、第１表示部５１及び第２表示部５２の色は、他の色に適宜変更してもよい。
【００４６】
また、上記実施形態には、蓋３０と軸部材４０との間には、当接部４４が内部空間１１から突出するように付勢する第１バネ１２を配置してある表示装置１０を説明した。しかし、本発明は、それに限られず、蓋と筐体との間に、当接部が内部空間から突出するように付勢する第１バネを配置してもよい。
【００４７】
さらに、上記実施形態には、筐体２０と第１移動部材５０との間には、第１表示部５１が初期位置へ移動するように第１移動部材５０を付勢する第２バネ１３を配置してある表示装置１０を説明した。しかし、本発明は、それに限られず、蓋と第１移動部材との間に、第１表示部が初期位置へ移動するように第１移動部材を付勢する第２バネ１３を配置してもよい。
【００４８】
さらに、上記実施形態には、表示装置１０の後面である蓋３０から突出するレバー５８を備えるものを説明した。しかし、本発明はそれに限られず、表示装置１０の前面を除いたいずれか一つの側面２２ａ，２２ｂ，２２ｃ，２２ｄからレバーが突出してもよい。
【００４９】
また、上述した実施形態には、係合突部６７を第２移動部材６０に設ける一方、係合孔部５７ａおよび係合凹部５７ｂを第１移動部材５０に設ける表示装置１０を説明した。しかし、この発明はそれに限られず、係合突部を第１移動部材に設ける一方、係合孔部および係合凹部を第２移動部材に設けてもよい。
【００５０】
筐体２０及び蓋３０を固定壁４または可動壁５に取り付けるものは取付具８０に限られず、例えば、固定壁４または可動壁５のいずれか一方に係合孔を設け、固定壁４または可動壁５のいずれか一方に係合孔に係合する係合爪を設けてもよい。
【００５１】
これまでに説明した本発明は、少なくとも以下のように整理することができる。固定壁４および固定壁４と対向する可動壁５とのうちの一方である第１壁に取り付けられた表示装置１０であって、固定壁４と可動壁５とのうちの他方である第２壁に向かって延び、かつ、第２壁に進退可能に当接される当接部４４を有する軸部材４０と、第１表示部５１および第２表示部５２を有するインジケータ５３と、第１表示部５１および第２表示部５２のうちの一方のみを露出させる表示窓２３を有する筐体２０と、筐体２０との間で内部空間１１を画定する蓋３０と、内部空間１１を移動し、インジケータ５３を有する第１移動部材５０と第２移動部材６０とを備え、第１移動部材５０および第２移動部材６０が初期位置に位置して表示窓２３から第１表示部５１が露出している状態から、固定壁４と可動壁５との非対向状態において表示窓２３から第２表示部５２が露出するように第１移動部材５０および第２移動部材６０を待機位置へ移動させるレバー（移動手段）５８と、軸部材４０、第１移動部材５０、および第２移動部材６０を有し、固定壁４と可動壁５が対向状態から非対向状態になったとき、（待機表示）表示窓２３から第１表示部５１が露出するように第１移動部材５０および第２移動部材６０を初期位置へ移動させる移動機構７０とをさらに備え、移動機構７０は、筐体２０と第２移動部材６０との間に、第２移動部材６０を待機位置から初期位置へ復帰させる突出部２８を有することを特徴とする。
【００５２】
また、本発明には、少なくとも以下の実施態様がある。
（１）第１移動部材５０は、内部空間１１を縦方向Ｙへ移動可能であり、第２移動部材６０は、第１移動部材５０の内部において、横方向Ｘへ移動可能であり、筐体２０および蓋３０の少なくとも一方と軸部材４０との間には、当接部４４が内部空間１１から突出するように付勢する第１バネ（第１付勢部材）１２を配置してあり、筐体２０および蓋３０の少なくとも一方と第１移動部材５０との間には、第１表示部５１が初期位置へ移動するように第１移動部材５０を付勢する第２バネ（第２付勢部材）１３を配置してあり、第１移動部材５０と第２移動部材６０との間には、第２移動部材６０が初期位置へ移動するように第２移動部材６０を付勢する第３バネ（第３付勢部材）１４を配置してあり、移動機構７０は、第１バネ１２と第２バネ１３と第３バネ１４とを有する。
【符号の説明】
【００５３】
４      固定壁（第１壁及び第２壁）
５      可動壁（第１壁及び第２壁）
１０    表示装置
１１    内部空間
１２    第１バネ（第１付勢部材）
１３    第２バネ（第２付勢部材）
１４    第３バネ（第３付勢部材）
２０    筐体
２３    表示窓
２８    突出部
２８ａ  傾斜部分
３０    蓋
３３    係合凹部
４０    軸部材
４２    係合凸部
４２ａ  傾斜当接部
４３    係合板
４４    当接部
５０    第１移動部材
５１    第１表示部
５２    第２表示部
５３    インジケータ
５４ａ  凹部
５４ｂ  凹部
５５    空間部
５７ｂ  係合凹部
５８    レバー（移動手段）
６０    第２移動部材
６１    第１係合凹部
６２    第２係合凹部
６３    隔壁部
６７    係合突部
Ｑ      仮想横中心線
Ｘ      横方向
Ｙ      縦方向
Ｚ      前後方向
【図１】
2018168576.tif 000003
【図２】
2018168576.tif 000004
【図３】
2018168576.tif 000005
【図４】
2018168576.tif 000006
【図５】
2018168576.tif 000007
【図６】
2018168576.tif 000008
【図７】
2018168576.tif 000009
【図８】
2018168576.tif 000010
【図９】
2018168576.tif 000011
【図１０】
2018168576.tif 000012
【図１１】
2018168576.tif 000013
【図１２】
2018168576.tif 000014
【図１３】
2018168576.tif 000015
【図１４】
2018168576.tif 000016
【図１５】
2018168576.tif 000017
【図１６】
2018168576.tif 000018
【図１７】
2018168576.tif 000019
【図１８】
2018168576.tif 000020